(57)【要約】      （修正有）【課題】一般家庭で日常的に健康維持が図れる岩盤椅子装置を提供する。【解決手段】椅子１の座部３を、上部の表面に発泡樹脂材４を介してレザー５を張設した箱型の外周枠６で囲い、下部に底板７を張設し、上部に石板を載置可能とする石板支持台９を設ける。そして石板支持台９上に石板を落とし込む。そして、底板７の上面を覆うととともに石板下に砂収納空間を形成可能とし且つ上面にパイプガイド溝１０を廻らせたパイプ支持保温材１１を載置し、大径のパイプ１３内に通水パイプ１４を挿通させるとともに液体１５を封入した通水パイプ１４をパイプガイド溝１０上に這うように嵌合させる。さらに、パイプ支持保温材１１上に保温砂を収納し、通水パイプ１４の両端部を、脚部２上の外周枠６の内側壁に設けた貫通孔から脚部２内を通して底板７の下方へ導き出してその先端を温水制御装置に接続する。【選択図】図４
0003133025.tif 000002
【実用新案登録請求の範囲】
【請求項１】
脚部２上に座部３を備えた椅子１において、
該座部３を、少なくとも上部の表面の全域に発泡樹脂材４を介してレザー５を張設した箱型の外周枠６で周囲を囲うとともに、該外周枠６内の下部に底板７を張設して該外周枠６内に内部空間を形成し、前記内部空間の上部周囲には、上面８ａが外周枠６の上面６ａより僅か低くなるように石板８を載置可能とする石板支持台９を設け、該石板支持台９上に前記内部空間を密閉するよう、前記石板８を発泡樹脂材４を圧迫させて落とし込み、
前記内部空間内には、前記底板７の上面を覆い、且つパイプガイド溝１０を廻らせ、少なくとも中央に前記石板８下に砂収納空間を形成可能とした発泡樹脂材製のパイプ支持保温材１１を載置し、大径のパイプ１３内に液体１５を封入するとともに該パイプ１３よりも小径の通水パイプ１４を挿通した保温パイプ１２を、前記パイプガイド溝１０に沿って前記石板８の下面８ｂに当接状態に嵌合させ、
前記パイプ支持保温材１１上の前記砂収納空間に前記石板８下に僅かな隙間が得られる程度の保温砂１８を収納し、
前記大径のパイプ１３の端部から突出させた通水パイプ１４の両端部を、前記脚部２上の外周枠６の内側壁に設けた貫通孔１６から外周枠６の箱内空間内及び前記脚部２内を通して上前記底板７の下方へ導き出すと共に、前記通水パイプ１４に制御した温度の温水を循環させる温水制御装置１９に接続させて成り、
前記温水制御装置１９で前記通水パイプ１４に温水を通水させて間接的に石板８を加温することによって前記石板８から遠赤外線及びマイナスイオンが発生されるようにしたことを特徴とする岩盤椅子装置。
【請求項２】
保温砂１８が、珊瑚砂１８ａであることを特徴とする請求項１に記載の岩盤椅子装置。
【請求項３】
石板８が、麦飯石の石板８ａ及び／又はゲルマニュウム含有花崗岩の石板８ｂであることを特徴とする請求項１又は２に記載の岩盤椅子装置。
【考案の詳細な説明】
【技術分野】
【０００１】
本考案は健康促進機能を備えた椅子に関する。
【背景技術】
【０００２】
近年、温泉などの温水に入る温泉浴に替わって、岩盤浴なる暖めた石の上に寝そべって健康を増進させようとする岩盤浴場が多く提供されるようになってきた。
岩盤浴場の暖めた石の上に寝ると、効率良く遠赤外線で身体の芯から温まり、またその発汗作用によって余分な体脂肪を減少させることができる。
こうして、身体のスタイルの改善と健康増進を図ろうとするものである。
この岩盤浴に使用するためのベッドは、通常板敷部分に中に、周囲の板に床上面と同じ高さに上面を合わせて身体の胴回りに合わせた横幅と身長に合わせた縦幅で敷石をベッド中央部にだけ並べた構造となっている。
したがって、このような床構造の設備では、専用の施設などで使用される以外には使用できず、一般家庭に使用されることはない。
そこで、普及を図るために床構造にまではせずに、おのおのの独立したベッドの中央部に縦に石板を並べて、その石板を加熱できるようにしたベッドが提案されている。
【考案の開示】
【考案が解決しようとする課題】
【０００３】
しかし、そのようなベッドでは中央に寝そべっての使用には適しているものの、起き上がった人が腰掛けて使用すると臀部が中央の石板までには届かず、腰掛けて日常的に使用とうとするには全く適するものではなかった。
そこで、本考案は上記従来の岩盤浴的に使用する石板付のベッドの問題点を解消し、一般家庭で腰掛けて日常的に岩盤浴的な使用が可能な健康増進機能に優れた岩盤椅子装置を提供することを目的とする。
【課題を解決するための手段】
【０００４】
上記課題を解決するため、本考案の岩盤椅子装置は、脚部２上に座部３を備えた椅子１において、該座部３を、少なくとも上部の表面の全域に発泡樹脂材４を介してレザー５を張設した箱型の外周枠６で周囲を囲うとともに、該外周枠６内の下部に底板７を張設して該外周枠６内に内部空間を形成する。
そして、前記内部空間の上部周囲には、上面８ａが外周枠６の上面６ａより僅か低くなるように石板８を載置可能とする石板支持台９を設け、該石板支持台９上に前記内部空間を密閉するよう、前記石板８を発泡樹脂材４を圧迫させて落とし込む。
さらに、該内部空間内には、前記底板７の上面を覆い、且つパイプガイド溝１０を廻らせ、少なくとも中央に前記石板８下に砂収納空間を形成可能とした発泡樹脂材製のパイプ支持保温材１１を載置し、大径のパイプ１３内に液体１５を封入するとともに該パイプ１３よりも小径の通水パイプ１４を挿通した保温パイプ１２を、前記パイプガイド溝１０に沿って前記石板８の下面８ｂに当接状態に嵌合させる。
また、前記パイプ支持保温材１１上の前記砂収納空間に前記石板８下に僅かな隙間が得られる程度の保温砂１８を収納する。
さらに、前記大径のパイプ１３の端部から突出させた通水パイプ１４の両端部を、前記脚部２上の外周枠６の内側壁に設けた貫通孔１６から外周枠６の箱内空間内及び前記脚部２内を通して上前記底板７の下方へ導き出すと共に、前記通水パイプ１４に制御した温度の温水を循環させる温水制御装置１９に接続させる。
そして、前記温水制御装置１９で前記通水パイプ１４に温水を通水させて間接的に石板８を加温することによって前記石板８から遠赤外線及びマイナスイオンが発生されるようにしたことを特徴とする。
【０００５】
請求項２記載の考案は、上記考案において、前記保温砂１８が珊瑚砂であることを特徴とする。
【０００６】
請求項３記載の考案は、上記考案において、前記石板８が麦飯石の石板及び／又はゲルマニュウム含有花崗岩の石板であることことを特徴とする。
【考案の効果】
【０００７】
本考案の岩盤椅子装置は、座席の上面が外周枠の際まで石板で覆っているので、これに腰掛けると柔らかい外周枠を介して、硬い石板部分に臀部が自然に接触した状態となる。
そして、温水制御装置で適度に調節した温水を前記通水パイプに通水させると、保温パイプにより保温砂と石板が加温され、前記石板から遠赤外線及びマイナスイオンが発生し、椅子に座った人の身体が芯から暖められて健康が促進できる。
椅子は一般家庭にも簡単に置けるので、これに腰掛けて使用することで、わざわざ出かけることなく、日常的に気軽に健康増進を実施することができるようになる。
そして、石板の加温は、前記通水パイプでその石板と内部の保温砂を直接加熱するのではなく、前記保温パイプを介して加熱する構造となっており、大径のパイプ１３内に封入した液体に蓄熱されてしばらく温度が維持され、前記通水パイプへの温水の循環を停止しても冷えた水の影響が殆どなく、また保温砂の蓄熱とパイプ支持保温材の断熱効果で急な温度低下を来たさず長時間にわたって一定温度が維持できる。
このため、その一定温度は一時加熱を停止する断続的な加熱方法でも温度を下げずに稼動することが可能となり、電気が大幅に節約できる。
【０００８】
また外周枠の上部の表面は発泡樹脂材にレザーが張られており、そのクッション性で前記石板が前記外周枠の対面する側面間に、石板の両側が押圧状態となって着脱容易に嵌めまれ、載置された石板が座部に安定的に載置可能となる。
【０００９】
請求項２記載の考案では、前記保温砂に珊瑚砂を使用したので、加熱されることにより珊瑚砂が多量のマイナスイオンを放出させ、これにより滅菌効果が得られる。
このため、座席が清潔に保たれ、且つマイナスイオンによる使用者の健康増進が可能となる。
【００１０】
また、用いる麦飯石の石板とゲルマニュウム含有花崗岩の石板は、加熱されると遠赤外線を放射する性質が有り、このため請求項３記載の考案では、石板に麦飯石の石板やゲルマニュウム含有花崗岩の石板を使用することによって、前記温水制御装置により調節された温度の温水で石板が加熱されて遠赤外線を効果的に発生できる。
このため、これに座った人の身体を芯から暖めることができ、健康が増進される。
特に、麦飯石の石板を使用した場合には、多くの通気孔を有するポーラスな材質であるため、その下に敷かれた珊瑚砂から発生するマイナスイオンをその通気孔から表面に放出させることが可能となり、麦飯石の石板の上面を含めて全体に対する滅菌が可能となるので衛生面でより好ましい。
【考案を実施するための最良の形態】
【００１１】
本考案の実施の形態を以下図によって説明する。
本考案の岩盤椅子装置は、図１に示すように、両側に脚部２を備えた椅子１の、４人掛けの長さとした座部３の四方の全周囲を、図２及び図３に示すように、中空な箱状の枠板で囲い、この枠板の下面の一部を除く表面（上面の全部と上部側面）の全周域をウレタン製の発泡樹脂材４で包み、さらにその上からレザー５を被せて外周枠６を形成する。
【００１２】
そして、図３及び図４に示すように、前記外周枠６の下部には底板７を張設して外周枠６内に内部空間を形成する。
さらに、図５に示すように、前記内部空間の上部には石板８を、その上面８ａが前記外周枠６の上面６ａより僅か低くなるように載置可能とする石板支持台９を周囲に設けて、その石板支持台９上に前記石板８を載せる。
このとき、前記石板８は前記内部空間を密閉できるように前記外周枠６の発泡樹脂材４を圧迫させた状態で、前記石板８を落とし込んで内部空間の上を全て塞ぐ。
【００１３】
前記石板８は、細長いと割れやすくなるので、一人用の面積が狭い場合には一枚板でもよいが、長い場合には図１に示すように、上部空間の面積を均等割りした正方形状にした板材を使用すると良い。
そしてこの場合には石板８の種類は同一のものを使用しても、また異種の石素材を使用しても良い。
また、前記石板８の大きさは、座部３への装着前の前記外周枠６の対向する両側のレザー５表面間の長さに対して、それより多少幅の大きいものを用いる。
そうすれば、前記発泡樹脂材４を圧迫させた状態で前記石板支持台９上に嵌め込むことができ、両側から押さえつけられた石板８は、がたつきがなくなり安定さした状態にできる。
【００１４】
また、前記石板８の下方の密閉された座部３の内部空間内においては、前記底板７の上面を覆い、且つパイプガイド溝１０を廻らせ、前記石板８の下に砂収納空間を形成可能とした硬質発泡樹脂材製のパイプ支持保温材１１を載置する。
そして、そのパイプ支持保温材１１の上に、大径のパイプ１３内に液体１５を封入するとともに該パイプ１３よりも小径の通水パイプ１４を挿通した保温パイプ１２を、前記パイプガイド溝１０に這うように配設し、前記石板８の下面８ｂには当接が可能な状態となるように前記パイプガイド溝１０に嵌合させる。
【００１５】
このパイプ支持保温材１１は、樹脂製の硬質発泡材を用いるが、その全部を一つに一体整形したものであっても、またその硬質発泡材をパーツに分割し組み合わせしたものでも良い。その場合、各パーツは、分割した一部のパイプ支持保温材１１を外周側６の内周面に沿わせて設けた前記石板支持台部９のさらに内周面に沿った部分を別に分割すれば、後からその内周面のパーツ部分を中央部のパーツと前記石板支持台部９との間にできる隙間に差し込むよう入れれば製造時の組み立てが容易となる。
なお、図２に示すように、中央部などに周辺の前記石板支持台部９と同じ高さの円柱形の石板支持部を飛び飛びに形成すれば、その上の前記石板８の重みを支えられる。
また、前記パイプガイド溝１０は前記保温パイプ１２を下から支えるためのもので、あまり深くしなくても、前記保温パイプ１２が水平方向に移動できないように受け止められれば良い。
【００１６】
そして、図５及び図６に示すように、前記パイプ支持保温材１１の上の前記砂収納空間に前記石板８の下に僅かな隙間が得られる程度の量の保温砂１８を充填する。
この隙間を確保するのは、前記石板８の裏面に対して、前記保温パイプ１２の石板当接部１２ａが確実に当接されるようにするためであるが、仮にこの空間がない場合には、前記石板８が保温砂１８に押し上げられて、前記保温パイプ１２の石板当接部１２ａが前記石板８の裏面８ｂから離れてしまうので、前記保温パイプ１２の温度が前記石板８に充分に伝わらなくなる虞が生じる。
即ち、前記保温パイプ１２の石板当接部１２ａは前記石板支持台部９と高さ位置と同じにする。
【００１７】
用いる保温砂１８は、各種保温性の優れたものや機能性の高い砂を使用することができる。
例えば、海から得られた珊瑚砂を使用すると、加熱されてマイナスイオンが多量に発生するので、健康増進に有益となる。
なお、この珊瑚砂は、珊瑚が魚により細かく砕かれてできた白い海砂であり、加熱でマイナスイオンを多量に発生させ滅菌効果もあるので、汚れる易い椅子を衛生面で管理に有益である。
【００１８】
また、前記石板８は、図１に示すように、略正方形の麦飯石の石板２１とゲルマニュウム含有花崗岩の石板２２とを一つ置きに使用するなど、各種の石材を組み合わせて用いることができる。
例えば、麦飯石は、石英班岩の一種であって磨くと美しい表面が得られ、その表面に多くの孔がある鉱石で、濾材としても使用されているように通気性に優れている。このためその下に敷かれた珊瑚砂から発生するマイナスイオンがその通気孔から表面に放出させ機能を有し、このことにより麦飯石の石板２１の全体に対する滅菌が可能となるので衛生面で好ましい。
また、麦飯石の石板２１とゲルマニュウム含有花崗岩の石板２２は、いずれも加熱されると遠赤外線を放射するので、前記温水制御装置１５により調節された温度の温水で石板１７が加熱されて遠赤外線を放射し、これに座った人の身体を芯から暖めて健康増進に役立つ。
なお、ゲルマニュウム含有花崗岩は、加熱されると遠赤外線を放射するだけではなく、人の体温近くの温度３２°Ｃになると、マイナスイオンを多量に発生させる性質もあるので人が使用するのに大変適している。
【００１９】
また、前記保温パイプ１２は、図６に示すように、前記座部３の下などに添設した温水制御装置１９と接続され、内部の通水パイプ１４に温水を通水させて間接的に石板８を加温させる構造となっている。
このため、前記保温パイプ１２は、水などの高温で気化する蒸発性の揮発性液体１５を封入した大径のパイプ１３の内部に通水パイプ１４が挿通され、その大径のパイプ１３の端部から突出させた通水パイプ１４の両端部が、前記脚部２上の外周枠６の内側壁に設けた貫通孔１６を貫通して、外周枠６の箱内空間内から前記脚部２内を通り上前記底板７の下方へ導き出される。
そして、この通水パイプ１４に制御した温度の温水を循環させる温水制御装置１９に通水パイプ１４の両端部が接続される。
なお、図中の符号２３は温水制御装置１９の温度を調節するための温度調節ツマミで、符号２４は通水パイプ１４内の水の量などを調節するための水調節口である。
【００２０】
このように、温水制御装置１９で循環され、高い温度となる前記通水パイプ１４と前記石板８とは、直接接触させず、前記保温パイプ１２内の揮発性液体１５を加熱して前記保温パイプ１２の温度を高め、石板８は前記保温パイプ１２の石板当接部１２ａ及び周囲の保温砂１８を介して温度が高められる。
このため、温水制御装置１９からの前記通水パイプ１４への温水の循環を停止しても、前記保温パイプ１２内にある揮発性液体１５の蓄熱と、保温砂１６の蓄熱と、パイプ支持保温材７の断熱効果とによって、前記通水パイプ１４内の温水がたとえ冷えたとしても、急な温度低下を来たすことなく長時間高い温度をそのまま維持することができる。
このため、一時加熱を停止する断続的な加熱方法でも温度を殆ど下げずに温水制御装置１９を稼動することが可能となって大幅な電気の節約が可能となる。
【産業上の利用可能性】
【００２１】
本考案は椅子に使用するものであるが、椅子のように用いる台状のものであれば他のものでも使用することが可能である。
【図面の簡単な説明】
【００２２】
【図１】本考案の斜視図である。
【図２】本考案の石板及保温砂を入れる前の平面図である。
【図３】本考案の縦断正面図である。
【図４】本考案の石板及保温砂を入れる前の要部を示す縦断斜視図である。
【図５】本考案の要部を示す縦断斜視図である。
【図６】本考案の別の要部を示す縦断側面である。
【符号の説明】
【００２３】
１      椅子
２      脚部
３      座部
４      発泡樹脂材
５      レザー
６      外周枠
６ａ    外周枠の上面
７      底板
８      石板
８ａ    石板の上面
８ｂ    石板の下面
９      石板支持台
１０    パイプガイド溝
１１    パイプ支持保温材
１２    保温パイプ
１３    大径のパイプ
１４    通水パイプ
１４ａ  通水パイプの端部
１５    揮発性液体
１６    貫通孔
１７    電源コード
１８    保温砂
１９    温水制御装置
２０    珊瑚砂
２１    麦飯石の石板
２２    ゲルマニュウム含有花崗岩の石板
２３    温度調節ツマミ
２４    水調節口
【図１】
0003133025.tif 000003
【図２】
0003133025.tif 000004
【図３】
0003133025.tif 000005
【図４】
0003133025.tif 000006
【図５】
0003133025.tif 000007
【図６】
0003133025.tif 000008